(57)【要約】【課題】高温度の温泉熱を利用して、前記メンテナンスをフリーにして「浴槽用温泉と地下水の温水を効率よく安価に供給する温泉・温水供給方法及びその装置を提供する【解決手段】源泉の供給パイプの管内源泉と、地下水の供給パイプの管内地下水に、電磁界を与えて小粒子化と含有物質にアニオン（マイナスの電位をおびた原子）を付与した後に、熱交換器に前記源泉と地下水を導入して熱交換を行い、熱交換器からの源泉を浴槽用温泉として取り出し地下水を温水タンクに供給し、前記熱交換器に導入する地下水又は、熱交換器に導入する源泉又は、前記熱交換器からの源泉を電極加熱装置により昇温することを特徴とする温泉・温水の供給方法。【選択図】図１
2014206360.tif 000002
【特許請求の範囲】
【請求項１】
源泉の供給パイプの管内源泉と、地下水の供給パイプの管内地下水に、電磁界を与えて小粒子化と含有物質にアニオン（マイナスの電位をおびた原子）を付与した後に、熱交換器に前記源泉と地下水を導入して熱交換を行い、熱交換器からの源泉を浴槽用温泉として取り出し地下水を温水タンクに供給し、前記熱交換器に導入する地下水又は、熱交換器に導入する源泉又は、前記熱交換器からの源泉を電極加熱装置により昇温することを特徴とする温泉・温水の供給方法。
【請求項２】
源泉の供給パイプの外周及び地下水の供給パイプの外周に、電磁界を与えて小粒子化と含有浮遊物にアニオン（マイナスの電位をおびた原子）を付与する装置の電磁コイルを周設し、電磁コイルを周設した以降の源泉及び地下水の供給パイプを接続する熱交換器を設け、熱交換器からの降温した源泉を浴槽用温泉として一時貯留する温泉タンクを設け、熱交換器からの温水を一時貯留する温水タンクを設け、前記熱交換器に接続する地下水の供給パイプ又は源泉供給パイプ又は温水タンクへの温水供給パイプに電極加熱装置を設けたことを特徴とする温泉・温水の供給装置。
【発明の詳細な説明】
【技術分野】
【０００１】  本発明は、温泉宿、温泉ホテル、銭湯温泉等において低温度の源泉と地下水から浴槽用の温泉と、温泉洗い場用の温水とを同時に、効率よく安価に製造して供給する温泉・水供給方法及びその装置に関するものである。【０００２】  ８０度以上の温泉は、そのまま水道や地下水などの常温水と混合して浴槽用温泉として利用され、１００度を超える高温度の蒸気温泉は、汽水タンクに供給して液化した後、水道や地下水などの常温水と混合して浴槽用温泉として利用されている。
また地下深くから取り出す１００度を超える高温度の地熱蒸気は、地熱発電用蒸気として発電所に供給し、液化した熱水は有害な物質が含有されているため再び地下に復水されている。【０００３】而して、温泉の泉質は○独特の火山の噴気口の香りを思わせる鉱物臭がある塩化物泉、○白濁の硫黄泉、○単純泉、○重曹食塩泉、○水に通して温泉を造成する蒸気だけ源泉などがあるが、いずれの温泉も配管、ポンプ、造成タンクなどの各種タンクの内壁に含有物質が早期に強固に付着して機能障害を起こす。このためのメンテナンスには多大な時間と労力と費用を要すると共に設備寿命が短命である。【０００４】このためホテル、旅館、及び一般銭湯は、源泉があるにも関わらず、水道水をボイラーで飽和蒸気にして熱交換器に導入し、この熱交換器に地下水を供給して前記飽和蒸気と地下水との熱交換を行い、熱交換器からの昇温地下水を浴槽用として取り出している。
しかし、水道水や地下水は、源泉に比し含有物質が少ないとはいえ、配管、ポンプ、タンクの内壁等への付着堆積するため定期的なメンテナンスが必要である。
【発明の概要】
【発明が解決しようとする課題】
【０００５】  本発明は、前記配管、ポンプ、タンク等の設備の内壁等への含有物質の付着堆積を防止してメンテナンスをフリーにすることは勿論のこと、中温度、高温度の温泉、蒸気温泉とその含有熱を利用して、浴槽用温泉と地下水からの温水を効率よく安価に安定して供給する温泉・水供給方法及びその装置を提供する。
【課題を解決するための手段】
【０００６】  前記課題を解決する発明の特徴とする技術は次の（１）〜（２）の通りである。
（１）、源泉の供給パイプの管内源泉と、地下水の供給パイプの管内地下水に、０．１〜１５ｋＨｚの電磁界を与えて小粒子化と含有物質にアニオン（マイナスの電位をおびた原子）を付与（商品名：ドールマンショック）した後に、熱交換器に前記源泉と地下水を導入して熱交換を行い、熱交換器からの源泉を浴槽用温泉として取り出し地下水を温水タンクに供給し、前記熱交換器に導入する地下水又は、熱交換器に導入する源泉又は、前記熱交換器からの源泉を電極加熱装置により昇温することを特徴とする温泉・温水の供給方法。【０００７】（２）、源泉の供給パイプの外周及び地下水の供給パイプの外周に、０．１〜１５ｋＨｚの電磁界を与えて小粒子化と含有浮遊物にアニオン（マイナスの電位をおびた原子）を付与（ドールマンショック）する装置の電磁コイルを周設し、電磁コイルを周設した以降の源泉及び地下水の供給パイプを接続する熱交換器を設け、熱交換器からの降温した源泉を浴槽用温泉として一時貯留する温泉タンクを設け、熱交換器からの温水を一時貯留する温水タンクを設け、前記熱交換器に接続する地下水の供給パイプ又は源泉供給パイプ又は温水タンクへの温水供給パイプに電極加熱装置を設けたことを特徴とする温泉・温水の供給装置。
【発明の効果】
【０００８】  本発明の温線と温水の供給方法及びその装置は、前記構成により次の優れた作用効果を呈して、配管、タンク、機器等への含有物質の付着堆積を防止して、前記メンテナンスをフリーにして設備の長寿命化を可能にし、温泉と温水の同時生産効率を大幅に高めたものである。【０００９】  即ち、源泉と地下水を０．１〜１５ｋＨｚの電磁界を与えて小粒子化と含有浮遊物にアニオンを付与した上で、５０〜７０℃の低温度の源泉の場合は、次の３通りの工程で処理して浴槽用温泉を得て温泉タンクに貯留し、旅館や銭湯の温泉浴槽に連続して安定供給することを可能にしたものである。これと同時に熱交換器と昇温して温水タンクを介して旅館や銭湯の温泉浴室の洗い場に連続して安定供給することを可能にしたものである。
（１）、１２℃〜１５℃の地下水を電極加熱装置で９５℃前後の温水にして熱交換器に導入して低温度の源泉を８０℃以上にすると共に５０〜６０℃の温水を得る。
（２）、６０〜７０℃の低温度の源泉を電極加熱装置で９０℃以上にして熱交換器に導入して源泉を７０〜９０℃すると共に５０〜７０℃の温水を得る。
（３）、６０〜７０℃の低温度の源泉と１２℃〜１５℃の地下水を熱交換器に導入して源泉を４０〜５０℃にすると共に４０〜５０℃の温水を得た後、４０〜５０℃の源泉を電極加熱装置で７０〜９０℃の温泉にする。
【図面の簡単な説明】
【００１０】
【図１】本発明の実施例１を示すシステムフロー説明図である。
【発明を実施するための形態】
【００１１】  本発明を実施するための一形態を後述の実施例により詳細に説明する。
【実施例１】
【００１２】  本実施例１は、前記特徴の（１）の方法と（２）の装置であり、これらを図１に示すシステムフローにより同時に説明する。
温泉と温水の供給装置は、源泉供給装置１００と、地下水供給装置２００と、熱交換器３００と、電極加熱装置７００−１，又は７００−２，又は７００−３と、温泉供給装置４００と、温水供給装置５００とからなる。【００１３】  源泉供給装置１００は、源泉１０１からポンプ１０３により６０〜７０℃の源泉を８００〜１３００ｌ／ｍｉｎ汲み上げ、源泉供給パイプ１０２から熱交換器３００に源泉を供給する。ポンプ１０３の入側の源泉供給パイプ１０２には、管内源泉に電磁界を与えて小粒子化とプラス電荷をもつ含有物質にアニオンを付与する装置（ドールマンショック）１０４の電磁コイル１０４−１を周設してあり、これで電磁コイル１０４−１周設部の電磁界を通過した源泉は、含有浮遊物がマイナス電荷されてパイプ１０２、４０１，４０３や熱交換器４００、タンク４０２、浴槽６００，洗い場６０１との全ての接触面に対して反発し含有物質を付着堆積させることを防止する。
ドールマンショック１０４の仕様は表１の通りである。【００１４】
【表１】
2014206360.tif 000003
地下水供給装置２００は、地下水源２０１からポンプ２０３により１２〜１５℃の地下水を８００〜１３００ｌ／ｍｉｎ汲み上げ、地下水供給パイプ２０２から熱交換器３００に地下水を供給する。ポンプ２０３の入側の地下水供給パイプ２０２には前記と同様機能のドールマンショック２０４の電磁コイル２０４−１を周設してある。これで電磁コイル２０４−１周設部の電磁界を通過した地下水は含有浮遊物にアニオンを付与して、ポンプ２０３、パイプ２０２、５０１や熱交換器４００、タンク５０２、洗い場６０１の全ての接触面に対して含有浮遊物を付着堆積させることが無い。
また熱交換器３００との間で滅菌装置２０５とフィルター２０６を設けて地下水を塩素滴下滅菌し、粗大固形粒子等を濾過し清浄化する。
ドールマンショック２０４の仕様は表２の通りである。【００１５】
【表２】
2014206360.tif 000004
熱交換器３００は、ＳＵＳ製のパイプ収容室３０２の一方を源泉供給パイプ１０２に接続し、他方を温泉供給装置４００の温泉供給パイプ４０１に接続する。
ＳＵＳ製の熱交換パイプ３０１の一方に地下水供給パイプ２０２を接続し、他方を温水供給装置５００の温水供給パイプ５０１に接続する。【００１６】これで熱交換器３００は、パイプ収容室３０２中の源泉流に対して、熱交換パイプ３０１内の地下水流は向流状態での熱交換作用を効率良く行うことができる。【００１７】熱交換器３００からの温水は洗い場用温水として温水供給装置５００に供給される。
温水供給装置５００は、温水供給パイプ５０１に温泉タンク５０２を介して温泉浴槽６００近くの洗い場６０１等に適温の温水を供給する。【００１８】熱交換器３００からの温泉は、温泉供給装置４００に供給される。
温泉供給装置４００は、温泉供給パイプ４０１に温泉タンク４０２を介して温泉供給パイプ４０３から温泉供給先の温泉浴槽６００に適温の温泉を供給する。【００１９】電極加熱装置７００−１〜７００−３は、前記熱交換器３００に接続する地下水の供給パイプ又は源泉供給パイプ又は温泉タンクへの温泉供給パイプに電極加熱装置を介設する。
電極加熱装置７００−１〜７００−３は、含有浮遊物を導入の地下水又は源泉又は導出の源泉に二対の＋電極７０１と−電極７０２から電気エネルギーを与え水中にある含有浮遊物およびミネラル部分に放電して有利に加熱（過熱）するものであり、市販装置としては商品名が「電気式ドライスチームジェネレータ（Ｅｌｅｃｔｒｉｃ  Ａｔｏｍｉｃ  Ｄｒｙ  Ｓｔｅｒｍ  Ｇｅｎｅｒａｔｏｒ）Ａｃｔｉｖｅ  Ｖｏｌｃａｎｏ：アクティブ  ボルケーノ  ９００ｓ」が最適である。【００２０】電極加熱装置７００−１〜７００−３の配置とその目的は次の通りである。
（１）、図１に示すように、熱交換器３００に地下水を供給する地下水供給パイプ２０２に電極加熱装置７００−１を介設した場合は、低温度の地下水を加熱して熱交換器３００に導入し、低温源泉を加熱昇温する。
（２）、図２に示すように、熱交換器３００に源泉を供給する源泉供給パイプ１０２に電極加熱装置７００−２を介設した場合は、低温源泉を加熱昇温して、熱交換器３００に導入して地下水を加熱温水にする。
（３）、図３に示すように、温泉タンク４０２への温泉供給パイプ４０１に電極加熱装置７００−３を介設した場合は、熱交換器３００に低温源泉と地下水を導出して、地下水を温水化し、降温した源泉を電極加熱装置７００−３で加熱昇温する。【００２１】  次に本実施例による具体例と作用効果を表３に紹介する。
この表から明らかのように本発明の具体例は比較例に比べ、配管、タンク、機器等への含有物質の付着堆積を防止して、これらのメンテナンスをフリーにして設備の長寿命化を可能にし、温泉と温水の同時生産効率を大幅に高めたものである。【００２２】
【表３】
2014206360.tif 000005
2014206360.tif 000006
【産業上の利用可能性】
【００２４】  本発明は、前述の優れた効果を有するため、ホテル、旅館、銭湯業界における温泉事業に多大な貢献をもたらすものである。
【符号の説明】
【００２２】１００：源泉供給装置
１０１：源泉
１０２：源泉供給パイプ
１０３：ポンプ
１０４：ドールマンショック
１０４：電磁コイル
２００：地下水供給装置
２０１：地下水源
２０２：地下水供給パイプ
２０３：ポンプ
２０４：ドールマンショック
２０４：電磁コイル
２０５：滅菌装置
２０６：フィルター
３００：熱交換器
３０１：熱交換パイプ
３０２：パイプ収容室
４００：温泉供給装置
４０１、４０３：温泉供給パイプ
４０２：温泉タンク
５００：温水供給装置
５０１、５０３：温水供給パイプ
５０２：温水タンク
６００：温泉浴槽
６０１：洗い場
７００：電極加熱装置
７０１：＋電極
７０２：−電極
【図１】
2014206360.tif 000007
【図２】
2014206360.tif 000008
【図３】
2014206360.tif 000009
【手続補正書】
【提出日】平成25年7月18日(2013.7.18)
【手続補正１】
【補正対象書類名】明細書
【補正対象項目名】００１０
【補正方法】変更
【補正の内容】
【００１０】
【図１】本発明の実施例１を示すシステムフロー説明図である。
【図２】図１において電極加熱装置の配置を変えた例を示す説明図である。
【図３】図１において電極加熱装置の配置を変えた他の例を示す説明図である。